(57)【要約】      （修正有）【課題】アンカーロッドを回転させるために種々の工具を使用する必要なしに自動設置することが可能である。【解決手段】アンカーは、アンカーの設置中に、回転させねばならぬアンカーロッド３、及びアンカーナット１を持つ。アンカーナット１のネジは、ネジ穴の一部についてのみアンカーロッド３のネジに適合する。アンカーナット１は、アンカーロッド３上で更に僅かにねじ込めるだけであり、アンカーの設置中は、ある特定トルクまでアンカーロッド３を回転させるために使用する。接着剤、モルタル、或いは拡張の手段によりアンカーロッド３が丸穴内にきつく適合すると、アンカーナット１がアンカーロッド３に関して回転されたとき、アンカーロッド３が、ネジ穴内の連続したネジを形成し、アンカーナット１は、このアンカーナット１がアンカープレート４を地盤７上の最終位置に固定するまで、アンカーロッド３上で最終的にねじ込むことができる。【選択図】図３
2013253697.tif 000002
【特許請求の範囲】
【請求項１】
ねじ穴を有するアンカーナットであって、
該ねじ穴が第１直径のねじ山を備えた第１領域と第２領域とを具備し、
該ねじ穴は第２領域の後端がカバーされておらず、
該第２領域が、ｉ）ねじ山がない、及び、ｉｉ）該第１直径のねじ山と比較して小径化した第２直径のねじ山を有する、ｉ）及びｉｉ）の態様の１つであり、
該第２領域が、アンカーナットの面から突出するリングの領域に設けられ、該リングはアンカーナットのほぼ半球状の部分と反対側のアンカーナットの面上に設けられており、
第１領域のねじに対応するねじを有する外部ねじ体上にねじ山をつけた第１領域の全体の状態下において、外部ねじ体が該第２領域を貫通するようにアンカーナットの継続する回転が外部ねじ体上の第２領域が引き抜かれることに帰結し、少なくともアンカーナットの面から突出するリングの外周面を径方向に拡張することによって突出するリングを変形させ、第１及び第２領域はお互いに取り付けられ残っているように、該アンカーナットの第１及び第２領域が構成され及び配置され、
該ねじ穴が、ねじ切りの間にアンカーナットの面の反対側のリング内に設けられる第２領域の後端でカバーされずに残っている、アンカーナット。
【請求項２】
アンカーであって、
アンカーロッドと
アンカープレートと
第１直径のねじ山を備えた第１領域と第２領域とを具備するねじ穴を有するアンカーナットであって、該ねじ穴は第２領域の後端がカバーされておらず、該第２領域が、ｉ）ねじ山がない、及び、ｉｉ）該第１直径のねじ山と比較して小径化した第２直径のねじ山を有する、ｉ）及びｉｉ）の態様１つである、アンカーナットと、を有するアンカーであって、
該第２領域が、アンカーナットの面から突出するリングの領域に設けられ、
第１ねじ山のサイズが、アンカーロッドの外部ねじ山に対応し、ねじ穴の第２領域が、ねじ山がないか及び減縮された直径を備えたねじ山を有するかのいずれか１つであり、前記アンカーナットのほぼ半球状の部分と反対側のアンカーナットの面上のアンカーナット内に設けられており、
アンカーロッド上のねじ山をつけた第１領域の全体の状態下において、アンカーロッドが第２領域を貫通するようにアンカーナットの継続した回転がアンカーロッド上の第２領域が引き抜かれることに帰結し、少なくともアンカーナットの面から突出するリングの外周面を径方向に拡張することによって突出するリングを変形させ、第１及び第２領域はお互いに取り付けられ残っているように、該アンカーナットの第１及び第２領域が構成され及び配置され、
該ねじ穴が、ねじ切りの間にアンカーナットの面の反対側のリング内に設けられる第２領域の後端でカバーされずに残っている、アンカー。
【請求項３】
ねじの無い第２領域の内径が第１領域の内径に等しい請求項２に記載のアンカー。
【請求項４】
ねじの無い第２領域の内径が第１領域の内径に等しい請求項１に記載のアンカー。
【請求項５】
アンカーナットであって、
ナット進行方向に面する第１ナット面と第１ナット面の反対側の第２後ナット面とを備えたナット本体と、
第２ナット面から突出するリング領域と、
長さを有し、該第２ナット面から突出するリング領域に広がり、ナット本体にわたる、穴と、
第１直径の第１雌ねじを備えた該穴の長さの第１部分に沿った第１領域と、そして
リング領域内の第２領域であって、該穴は第２ナット面の反対側の第２領域の後端部がカバーされておらず、該第２領域が、ｉ）雌ねじを有することなく、及び、ｉｉ）該第１直径に満たない第２直径の雌ねじを有する、ｉ）及びｉｉ）の態様の１つである、第２領域と、を備えたアンカーナットであって
第１領域のねじに対応するねじを有する外部ねじ体上にねじ山をつけた第１領域の全体の状態下において、外部ねじ体が該リング領域を貫通するようにナットの進行方向へのアンカーナットの継続した回転が外部ねじ体上のリング領域が引き抜かれることに帰結し、少なくともアンカーナットの面から突出するリング領域の外周面を径方向に拡張することによって突出するリング領域を変形させ、ナット本体とリング領域はお互いに取り付けられ残っているように、該アンカーナットの第１及び第２領域が構成され及び配置され、
該穴が、ねじ切りの間に第２ナット面の反対側のリング内に設けられる第２領域の後端でカバーされずに残っている、アンカーナット。
【請求項６】
ほぼ半球状の部分がナットの遠位前端部に設けられており、アンカーナットが外部多面的多角形状を有するアンカーナット体を含み、前記リングがほぼ球形状の部分の直径よりも小さく及び多角形のアンカーナット体の最大の外法寸法よりも小さい外径を有する、請求項１に記載のアンカーナット。
【請求項７】
ほぼ半球状の部分がアンカープレートに面するナットの前端部に設けられ、アンカーナットが外部多面的多角形状有するアンカーナット体を含み、前記第２領域がほぼ半球状の部分の直径より小さい及びアンカーナット体の最大の外法寸法より小さい外形寸法を有する、請求項２に記載のアンカー。
【請求項８】
前記ナット本体が多面的多角形状を有し、前記リング領域がナット本体の最大の外法寸法よりも小さい外径を有する、請求項５に記載のアンカーナット。
【発明の詳細な説明】
【技術分野】
【０００１】
本発明はアンカーに関連する。特に、本発明は、例えば、アンカーが接着剤中に埋め込まれ、アンカーがモルタルにより、又は拡張ボルトアンカーにより固定される場合のように、アンカーの設置中、アンカーロッドを回転させることが必要なアンカーに関する。
【背景技術】
【０００２】
接着剤中に埋め込まれたアンカーを設置するための手順として、アンカーを設置すべき地盤に穴が掘られる。その後、掘削された穴の中に、接着剤を収容している１個又は数個のカートリッジが挿入され、これらはラムロッドの手段によりドリル穴の中に押し込まれ、又はこれらは圧縮空気の手段により叩き込まれる。通常、これらカートリッジは、例えば、同心プラスチックカプセル内で互いに空間的に分離されているようにカートリッジ内に貯蔵された２成分形の接着剤を備える。少なくも１個のカートリッジがドリル穴の中に挿入された後で、アンカーがこのドリル穴の中に押し込まれそして回転される。アンカー、即ち、粗い表面を有し、又は形成された表面を有する金属ロッド、好ましくはスチールロッド（ＴＯＲスチール、ネジ付きロッド）の回転は、（穴あけ機又は穴あけ装置を支持する）穴あけ機械の手段により実行することができる。この配列において、アンカーの前端は、接着剤成分を収容しているカートリッジを破壊し、そして接着剤の固化を開始させるように接着剤の二つの成分を混合するように設計される。
【０００３】
反応時間、即ち接着剤の固化に要する時間は、成分の選定とその混合比の選択により、数秒から数分の間で希望のように設定することができる。
【０００４】
カートリッジは、接着剤の代わりに、硬化した後、アンカーをドリル穴の中に固定するモルタルを含むことができる。かかるモルタルカートリッジは、多孔性（プラスチック）ホースであり、これは水中に置かれ、そして接着剤カートリッジと同様にドリル穴内に挿入される。
【０００５】
更に、アンカーロッドの一部又はアンカーロッドに連結された部品が拡張し又は広げられてドリル穴内に固定されるアンカーが知られる。これは、例えば、スロット付きウエッジアンカー、スライディングウエッジアンカー又は拡張ボルトアンカーを含む。拡張体を広げるためにアンカーロッドを回転させることにより拡張体が動かされる。
【発明の概要】
【発明が解決しようとする課題】
【０００６】
これら公知のアンカーは、ドリル穴から突き出ているこのアンカーロッドの端部によりアンカーロッド（これは中空でないロッド又は管とすることができる）を回転させるために、これに操作用手段を取り付けることが必要であり、そしてこの手段は、接着剤、モルタル又は拡張の結果としてアンカーがドリル穴内でしっかり着座するとすぐに取り外すことが必要であるという問題が考えられる。
【課題を解決するための手段】
【０００７】
前述のことを容易にすることが本発明の目的である。
【０００８】
この目的は、本発明に従って、請求項１の特徴を備えたアンカーによりうまく処理される。
【０００９】
本発明の好ましくかつ有利な実施例が従属請求項の目的である。
【００１０】
本発明によるアンカーにおいては、接着剤カートリッジ又はモルタルカートリッジを開くように、或いは拡張体を作動させる（軸方向の調節）ようにアンカーロッドを回転させるために、アンカーに取り付けられるアンカーナットが使用される。アンカーロッドの取り付け後、アンカープレートがアンカーの設置される地盤に対して最終的に静止するまでナットをアンカー上に更にねじることが簡単に十分にできるので、かなりの簡単化が達成される。
【００１１】
原理的に、本発明は、ロックアンカーを含むすべての形式のアンカーにおいて実行することができる。この場合、アンカーロッドを（接着剤、モルタル、拡張、拡大又は同等の手段により）ドリル穴の中に取り付けるために回転させる必要がある。
【００１２】
本発明の更なる詳細及び特徴は、付属図面を参照した好ましい実施例についての以下の説明において提供される。
【図面の簡単な説明】
【００１３】
【図１】アンカーナットの側面図である。
【図２】図１のアンカーナットの平面図である。
【図３】アンカー又はアンカーバーの回転中の状況を示す。
【図４】アンカーバー、アンカープレート、及びアンカーナットを有するアンカーの最終位置を示す。
【発明を実施するための形態】
【００１４】
アンカーの設置中、例えば接着剤に囲まれたアンカー又はモルタルアンカー或いは拡張ボルトアンカーの設置中、アンカーの置かれる地盤７の上方に突き出ているアンカーロッド３の外側端部上にアンカープレート４を滑らし、次にアンカーナット１の手段によりこのアンカープレート４を地盤７に対して押し付けることが、現状技術からそれ自体知られている。
【００１５】
本発明においては、アンカーロッド３が使用されるときは、ドリル穴５の内側端部内に配列された接着剤カートリッジ又はモルタルカートリッジを開き、接着剤／モルタルを解放し、そしてこれを混合するために、或いはスロット付きウエッジアンカー、スライディングアンカー、拡張ボルトアンカー及び同様なアンカーの場合においては、丸穴の中に受け入れられる前端部に受け入れられるように設けられた拡張体を調整し、この方法で拡張運動を起こさせるために、先端がドリル穴内に受け入れられたアンカーロッドを回転させるためにアンカーナット１が同様に使用される。
【００１６】
図１及び２に示されるような新規なアンカーナット１は、アンカープレート４に面するほぼ半球状の部分９、多辺形の部分１１、例えば正方形又は六角形を備える。しかし、これは、アンカーナット１の半球状部分９を提供するための必須事項ではない。
【００１７】
アンカーナット１に、ネジ穴１３が設けられる。ネジ穴１３のネジは、アンカーナットの長さの一部にわたってのみ、アンカーロッド３の雄ネジに対応する。特に、これらのネジは丸くなったネジである。しかし、他形式のネジ、例えばメートルネジなども考えられる。
【００１８】
アンカーナット１のネジ穴１３のネジは貫通ネジではなく、アンカーナット１の前方領域、言い換えると半球状部分９の領域のみが「仕上げられた」雌ネジであり、この雌ネジはアンカーロッド３の雄ネジに対応する。アンカーロッド１の後方領域１５、即ち前方の半球状部分９と反対側の領域においては、雌ネジは設けられず、又は仕上げられない。こ
の構成において、後方領域１５にはネジは全く切られないか又は部分的に切られるだけである。ネジのない後方領域１５、又は部分的に切られたネジを有する後方領域１５は、後方領域を、アンカーネジ１の外面１７より先に突き出している突起１９に設けることができる。
【００１９】
本発明によるアンカーナット１を使用する手順は以下のようにすることができる。即ち、地盤７にドリル穴５が掘削された後、１個又は数個の接着剤カートリッジ又はモルタルカートリッジ（図示せず）がドリル穴５内に滑り入れられた後、及びアンカーロッド３が押し込まれた後、前記アンカーロッド３は、モルタルカートリッジを開くため、そしてモルタルを混合するために回転させられる。これが、接着剤カートリッジを開き、そして通常は２成分形接着剤である接着剤を混合する。アンカーナット１におけるネジの特別な設計のため、アンカーナット１は、アンカーナット１の六角形の部分１１に適用された工具の手段により、最初はその長さの一部に沿ってのみアンカーロッド３上にねじ込まれるだけであり（図３参照）、アンカーロッド３を、カートリッジの希望の開口及び接着剤又はモルタルの混合、或いはアンカーロッド３の長手方向における拡張体の調整の達成のために回転させることができる。
【００２０】
この構成におけるアンカーナット１のネジ穴１３内に２個の部分を有するネジ穴の設計は、所定のトルクを越えるまではアンカーナット１がアンカーロッド３上に更にねじ込められることがないように選定することができる。このトルクは、例えば８０Ｎｍであるように選ぶことができる。
【００２１】
このトルクを越えるとすぐ、即ち接着剤又はモルタルが固化すると直ちに、或いは拡張又は拡大が行われると直ちに、アンカーロッド３は確りと保持され、アンカーナット１の続く回転中に、アンカーナット１の穴１３の領域１５（ネジなしの領域又は未仕上げネジを有する領域）はネジが形成されるように形成され、続いてアンカーナット１は、図４に示されるようにアンカープレート４が地盤７に押し付けられて静止するまでアンカーロッド３上に更にねじ込むことができる。先にアンカーナット１上でアンカーナット３を回転させた工具により、換言すれば工具を変えることなく、図３による位置を越えてアンカーロッド３の雄ネジ上にアンカーナット１をねじ込むことができる。
【００２２】
本発明は、アンカーナット内の雌ネジが完全には仕上げられないという利点を提供する。この構成においては、アンカーの設置中、ドリル穴５から突き出ているアンカーロッド３の端部は、アンカーナット１のネジの完全には作られていない領域１５に当たって止まる（図３）。アンカーロッド３をドリル穴内で固定する接着剤又はモルタルが固化し、又は固くなった後、或いは拡張又は拡大の完了後、アンカーロッド３はアンカーロッド１のネジの未仕上げの領域１５内にねじ込まれる。この場合、図示された実施例においては、突起１９が、湾曲した部分９とは反対側のアンカーナット１の外面１７上に拡がることにより変形される。例えば、アンカーロッド３は、アンカーナット１の直径の小さいネジ部分を拡げ、未仕上げの領域１５に、他とは無関係にネジを作る。最初にネジ穴１３の領域１５にネジが作られていない場合は、回転しないようにドリル穴内に固定されたアンカーロッド３上に（より大きいトルクで）アンカーナット１がねじ込まれると、領域１５にもネジが形成されアンカーナット１は、図４に示された位置に正しくねじ込まれる。
【００２３】
従って、アンカー全体（ロッド、プレート及びナット）を接着剤カートリッジ（合成樹脂カートリッジ）又はモルタルカートリッジ内にねじ込み、接着剤（合成樹脂）又はモルタルを混合することができ、或いはアンカーロッド３の回転により、アンカーロッド３の外側端部上にねじ込まれたアンカーナット上で拡張体を作動させることができる。接着剤／モルタルの固化（接着剤では混合の数秒以内）或いは拡張の結果として、アンカーロッド３はドリル穴の中に固定され、そこでアンカーナット１はアンカーロッド３に関して回
転を継続し、アンカーロッド３はアンカーナット１のねじを切り又は「仕上げ」をし、そしてその後、アンカープレート４がアンカーナット１により固定される。この方法で、アンカーロッド３を回転させるために種々の工具を使用する必要なしに自動設置することが可能である。
【００２４】
まとめると、本発明の示された実施例は次のように説明することができる。
【００２５】
アンカーは、アンカーの設置中に回転させられることを要するアンカーロッド３を備え、更にアンカープレート４及びアンカーナット１を備える。アンカーナット１のネジは、ネジ穴１３の一部の上でしかアンカーロッド３のネジと適合しない。そこでアンカーナット１は、アンカーの設置中、アンカーロッドを回転させるために使用し得る所定のトルクに達するまでは、アンカーロッド３上に更にねじ込むことはできない。アンカーロッド３が、接着剤、モルタルの作用、或いは拡張又は拡大の結果としてドリル穴の中に確りと固定されると、アンカーナット１がアンカーロッド３に関して回転させられたとき、アンカーロッド３がネジ穴１３内で貫通ネジを形成し、従って、アンカーナット１は、アンカープレート４を、その最終位置において地盤７に固定するまで、最終的にアンカーロッド３上にねじ込むことができる。
【図１】
2013253697.tif 000003
【図２】
2013253697.tif 000004
【図３】
2013253697.tif 000005
【図４】
2013253697.tif 000006
【手続補正書】
【提出日】平成25年8月6日(2013.8.6)
【手続補正１】
【補正対象書類名】明細書
【補正対象項目名】全文
【補正方法】変更
【補正の内容】
【発明の詳細な説明】
【技術分野】
【０００１】
本発明は、請求項１（特許文献１）の導入部の特徴を有するアンカーに関連する。特に、本発明は、例えば、アンカーが接着剤中に埋め込まれ、アンカーがモルタルにより、又は拡張ボルトアンカーにより固定される場合のように、アンカーの設置中、アンカーロッドを回転させることが必要なアンカーに関する。
【背景技術】
【０００２】
接着剤中に埋め込まれたアンカーを設置するための手順として、アンカーを設置すべき地盤に穴が掘られる。その後、掘削された穴の中に、接着剤を収容している１個又は数個のカートリッジが挿入され、これらはラムロッドの手段によりドリル穴の中に押し込まれ、又はこれらは圧縮空気の手段により叩き込まれる。通常、これらカートリッジは、例えば、同心プラスチックカプセル内で互いに空間的に分離されているようにカートリッジ内に貯蔵された２成分形の接着剤を備える。少なくも１個のカートリッジがドリル穴の中に挿入された後で、アンカーがこのドリル穴の中に押し込まれそして回転される。アンカー、即ち、粗い表面を有し、又は形成された表面を有する金属ロッド、好ましくはスチールロッド（ＴＯＲスチール、ネジ付きロッド）の回転は、（穴あけ機又は穴あけ装置を支持する）穴あけ機械の手段により実行することができる。この配列において、アンカーの前端は、接着剤成分を収容しているカートリッジを破壊し、そして接着剤の固化を開始させるように接着剤の二つの成分を混合するように設計される。
【０００３】
反応時間、即ち接着剤の固化に要する時間は、成分の選定とその混合比の選択により、数秒から数分の間で希望のように設定することができる。
【０００４】
カートリッジは、接着剤の代わりに、硬化した後、アンカーをドリル穴の中に固定するモルタルを含むことができる。かかるモルタルカートリッジは、多孔性（プラスチック）ホースであり、これは水中に置かれ、そして接着剤カートリッジと同様にドリル穴内に挿
入される。
【０００５】
更に、アンカーロッドの一部又はアンカーロッドに連結された部品が拡張し又は広げられてドリル穴内に固定されるアンカーが知られる。これは、例えば、スロット付きウエッジアンカー、スライディングウエッジアンカー又は拡張ボルトアンカーを含む。拡張体を広げるためにアンカーロッドを回転させることにより拡張体が動かされる。
【先行技術文献】
【特許文献】
【０００６】
【特許文献１】ＵＳ  ２００１／００２６７４６  Ａ
【特許文献２】ＤＥ  ２４７４  Ｃ
【発明の概要】
【発明が解決しようとする課題】
【０００７】
これら公知のアンカーは、ドリル穴から突き出ているこのアンカーロッドの端部によりアンカーロッド（これは中空でないロッド又は管とすることができる）を回転させるために、これに操作用手段を取り付けることが必要であり、そしてこの手段は、接着剤、モルタル又は拡張の結果としてアンカーがドリル穴内でしっかり着座するとすぐに取り外すことが必要であるという問題が考えられる。
【０００８】
特許文献１から、導入部に述べられた形式のアンカーが知られる。このアンカーは、アンカーナット自体の穴にネジなしの部分が設けられる問題が考えられる。これは、この方法では、アンカーロッド上にアンカーナットを完全にねじ込むに要するモーメントを所要の値に設定できないため、或いはアンカーナット自体の変化によるだけでは所要の値に設定できないためである。
【０００９】
ネジのある部分とネジのない部分とを備えた穴のあるナットが特許文献２から知られる。
【課題を解決するための手段】
【００１０】
前述のことを容易にすることが本発明の目的である。
【００１１】
この目的は、本発明に従って、請求項１の特徴を備えたアンカーによりうまく処理される。
【００１２】
本発明の好ましくかつ有利な実施例が従属請求項の目的である。
【００１３】
本発明によるアンカーにおいては、接着剤カートリッジ又はモルタルカートリッジを開くように、或いは拡張体を作動させる（軸方向の調節）ようにアンカーロッドを回転させるために、アンカーに取り付けられるアンカーナットが使用される。アンカーロッドの取り付け後、アンカープレートがアンカーの設置される地盤に対して最終的に静止するまでナットをアンカー上に更にねじることが簡単に十分にできるので、かなりの簡単化が達成される。
【００１４】
本発明においては、アンカーナットのネジなしの領域又はより小さい雌ネジのある領域は、アンカーナット自体の穴に設けられるのではなく、代りにリングにして、リングの寸法の選定の手段によるため、ナットをアンカーロッド上に完全にねじ込むに要するトルクは、アンカーナット自体の寸法とは無関係に選ぶことができる。
【００１５】
原理的に、本発明は、ロックアンカーを含むすべての形式のアンカーにおいて実行する
ことができる。この場合、アンカーロッドを（接着剤、モルタル、拡張、拡大又は同等の手段により）ドリル穴の中に取り付けるために回転させる必要がある。
【００１６】
本発明の更なる詳細及び特徴は、付属図面を参照した好ましい実施例についての以下の説明において提供される。
【図面の簡単な説明】
【００１７】
【図１】アンカーナットの側面図である。
【図２】図１のアンカーナットの平面図である。
【図３】アンカー又はアンカーバーの回転中の状況を示す。
【図４】アンカーバー、アンカープレート、及びアンカーナットを有するアンカーの最終位置を示す。
【発明を実施するための形態】
【００１８】
アンカーの設置中、例えば接着剤に囲まれたアンカー又はモルタルアンカー或いは拡張ボルトアンカーの設置中、アンカーの置かれる地盤７の上方に突き出ているアンカーロッド３の外側端部上にアンカープレート４を滑らし、次にアンカーナット１の手段によりこのアンカープレート４を地盤７に対して押し付けることが、現状技術からそれ自体知られている。
【００１９】
本発明においては、アンカーロッド３が使用されるときは、ドリル穴５の内側端部内に配列された接着剤カートリッジ又はモルタルカートリッジを開き、接着剤／モルタルを解放し、そしてこれを混合するために、或いはスロット付きウエッジアンカー、スライディングアンカー、拡張ボルトアンカー及び同様なアンカーの場合においては、丸穴の中に受け入れられる前端部に受け入れられるように設けられた拡張体を調整し、この方法で拡張運動を起こさせるために、先端がドリル穴内に受け入れられたアンカーロッドを回転させるためにアンカーナット１が同様に使用される。
【００２０】
図１及び２に示されるような新規なアンカーナット１は、アンカープレート４に面するほぼ半球状の部分９、多辺形の部分１１、例えば正方形又は六角形を備える。しかし、これは、アンカーナット１の半球状部分９を提供するための必須事項ではない。
【００２１】
アンカーナット１に、ネジ穴１３が設けられる。ネジ穴１３のネジは、アンカーナットの長さの一部にわたってのみ、アンカーロッド３の雄ネジに対応する。特に、これらのネジは丸くなったネジである。しかし、他形式のネジ、例えばメートルネジなども考えられる。
【００２２】
アンカーナット１のネジ穴１３のネジは貫通ネジではなく、アンカーナット１の前方領域、言い換えると半球状部分９の領域のみが「仕上げられた」雌ネジであり、この雌ネジはアンカーロッド３の雄ネジに対応する。アンカーロッド１の後方領域１５、即ち前方の半球状部分９と反対側の領域においては、雌ネジは設けられず、又は仕上げられない。この構成において、後方領域１５にはネジは全く切られないか又は部分的に切られるだけである。ネジのない後方領域１５、又は部分的に切られたネジを有する後方領域１５は、後方領域を、アンカーネジ１の外面１７より先に突き出している突起１９に設けることができる。
【００２３】
本発明によるアンカーナット１を使用する手順は以下のようにすることができる。即ち、地盤７にドリル穴５が掘削された後、１個又は数個の接着剤カートリッジ又はモルタルカートリッジ（図示せず）がドリル穴５内に滑り入れられた後、及びアンカーロッド３が押し込まれた後、前記アンカーロッド３は、モルタルカートリッジを開くため、そしてモ
ルタルを混合するために回転させられる。これが、接着剤カートリッジを開き、そして通常は２成分形接着剤である接着剤を混合する。アンカーナット１におけるネジの特別な設計のため、アンカーナット１は、アンカーナット１の六角形の部分１１に適用された工具の手段により、最初はその長さの一部に沿ってのみアンカーロッド３上にねじ込まれるだけであり（図３参照）、アンカーロッド３を、カートリッジの希望の開口及び接着剤又はモルタルの混合、或いはアンカーロッド３の長手方向における拡張体の調整の達成のために回転させることができる。
【００２４】
この構成におけるアンカーナット１のネジ穴１３内に２個の部分を有するネジ穴の設計は、所定のトルクを越えるまではアンカーナット１がアンカーロッド３上に更にねじ込められることがないように選定することができる。このトルクは、例えば８０Ｎｍであるように選ぶことができる。
【００２５】
このトルクを越えるとすぐ、即ち接着剤又はモルタルが固化すると直ちに、或いは拡張又は拡大が行われると直ちに、アンカーロッド３は確りと保持され、アンカーナット１の続く回転中に、アンカーナット１の穴１３の領域１５（ネジなしの領域又は未仕上げネジを有する領域）はネジが形成されるように形成され、続いてアンカーナット１は、図４に示されるようにアンカープレート４が地盤７に押し付けられて静止するまでアンカーロッド３上に更にねじ込むことができる。先にアンカーナット１上でアンカーナット３を回転させた工具により、換言すれば工具を変えることなく、図３による位置を越えてアンカーロッド３の雄ネジ上にアンカーナット１をねじ込むことができる。
【００２６】
本発明は、アンカーナット内の雌ネジが完全には仕上げられないという利点を提供する。この構成においては、アンカーの設置中、ドリル穴５から突き出ているアンカーロッド３の端部は、アンカーナット１のネジの完全には作られていない領域１５に当たって止まる（図３）。アンカーロッド３をドリル穴内で固定する接着剤又はモルタルが固化し、又は固くなった後、或いは拡張又は拡大の完了後、アンカーロッド３はアンカーロッド１のネジの未仕上げの領域１５内にねじ込まれる。この場合、図示された実施例においては、突起１９が、湾曲した部分９とは反対側のアンカーナット１の外面１７上に拡がることにより変形される。例えば、アンカーロッド３は、アンカーナット１の直径の小さいネジ部分を拡げ、未仕上げの領域１５に、他とは無関係にネジを作る。最初にネジ穴１３の領域１５にネジが作られていない場合は、回転しないようにドリル穴内に固定されたアンカーロッド３上に（より大きいトルクで）アンカーナット１がねじ込まれると、領域１５にもネジが形成されアンカーナット１は、図４に示された位置に正しくねじ込まれる。
【００２７】
従って、アンカー全体（ロッド、プレート及びナット）を接着剤カートリッジ（合成樹脂カートリッジ）又はモルタルカートリッジ内にねじ込み、接着剤（合成樹脂）又はモルタルを混合することができ、或いはアンカーロッド３の回転により、アンカーロッド３の外側端部上にねじ込まれたアンカーナット上で拡張体を作動させることができる。接着剤／モルタルの固化（接着剤では混合の数秒以内）或いは拡張の結果として、アンカーロッド３はドリル穴の中に固定され、そこでアンカーナット１はアンカーロッド３に関して回転を継続し、アンカーロッド３はアンカーナット１のねじを切り又は「仕上げ」をし、そしてその後、アンカープレート４がアンカーナット１により固定される。この方法で、アンカーロッド３を回転させるために種々の工具を使用する必要なしに自動設置することが可能である。
【００２８】
まとめると、本発明の示された実施例は次のように説明することができる。
【００２９】
アンカーは、アンカーの設置中に回転させられることを要するアンカーロッド３を備え、更にアンカープレート４及びアンカーナット１を備える。アンカーナット１のネジは、
ネジ穴１３の一部の上でしかアンカーロッド３のネジと適合しない。そこでアンカーナット１は、アンカーの設置中、アンカーロッドを回転させるために使用し得る所定のトルクに達するまでは、アンカーロッド３上に更にねじ込むことはできない。アンカーロッド３が、接着剤、モルタルの作用、或いは拡張又は拡大の結果としてドリル穴の中に確りと固定されると、アンカーナット１がアンカーロッド３に関して回転させられたとき、アンカーロッド３がネジ穴１３内で貫通ネジを形成し、従って、アンカーナット１は、アンカープレート４を、その最終位置において地盤７に固定するまで、最終的にアンカーロッド３上にねじ込むことができる。